(57)【要約】【課題】回線端末装置本体に電話機が接続されていないことを検出でき、電話機が接続されていない場合には警告音を鳴動させることができる回線端末装置を提供する。【解決手段】ＮＣＵ  １０１が電話回線１１２の接続を電話機１０３に切り替えた場合に電話機１０３を鳴動させるための擬似ＣＩ信号を送出する擬似ＣＩ回路１０４と、トーナル信号を送出し、トーナル信号を送出したときの電気的状態変化を検出するモデム１０６とを備え、擬似ＣＩ回路１０４は、モデム１０６により電気的状態変化を検出した場合には擬似ＣＩ信号を送出し、モデム１０６により電気的状態変化を検出しなかった場合には擬似ＣＩ信号を送出しない構成とする。【選択図】図１
2010068307.tif 000002
【特許請求の範囲】
【請求項１】
通信回線の接続を、回線端末装置本体と、前記回線端末装置本体に接続された電話機と、に切り替える切り替え制御手段を備える回線端末装置において、
前記切り替え制御手段が前記通信回線の接続を前記電話機に切り替えた場合に、前記電話機を鳴動させるための呼出信号を送出する信号送出手段と、
前記呼出信号の電圧に比べて低い電圧を前記電話機に印加する電圧印加手段と、
前記電圧印加手段により前記電話機に前記低い電圧を印加したときの電気的状態変化を検出する検出手段と、
を備え、
前記信号送出手段は、前記検出手段により前記電気的状態変化を検出した場合には前記呼出信号を送出し、前記検出手段により前記電気的状態変化を検出しなかった場合には前記呼出信号を送出しないことを特徴とする回線端末装置。
【請求項２】
請求項１に記載の回線端末装置において、
音源と、
前記音源を鳴動させる鳴動手段と、
を備え、
前記鳴動手段は、前記検出手段により前記電気的状態変化を検出しなかった場合に、前記音源を鳴動させることを特徴とする回線端末装置。
【請求項３】
請求項１に記載の回線端末装置において、
前記電圧印加手段は、トーナル信号を出力することにより前記電話機に前記低い電圧を印加するものであり、
前記検出手段は、前記電圧印加手段により出力された前記トーナル信号が前記電話機からループバックされた前記トーナル信号に対応した信号を検出するものであり、
前記信号送出手段は、前記検出手段により前記トーナル信号に対応した信号を検出した場合に、前記呼出信号を前記電話機に対して送出することを特徴とする回線端末装置。
【請求項４】
請求項３に記載の回線端末装置において、
前記電圧印加手段により出力される前記トーナル信号は、複数の周波数からなる信号であることを特徴とする回線端末装置。
【請求項５】
請求項１に記載の回線端末装置において、
前記電話機に極性を持った直流電圧を印加する直流電圧印加手段と、
前記直流電圧印加手段により前記電話機に印加する前記直流電圧の極性を繰り返し反転させる極性反転手段と、
前記極性反転手段により前記直流電圧の極性を繰り返し反転させたときに流れる電流を検知する電流検知手段と、
を備え、
前記信号送出手段は、前記電流検知手段により電流を検知した場合には前記呼出信号を送出し、前記電流検知手段により電流を検知しなかった場合には前記呼出信号を送出しないことを特徴とする回線端末装置。
【請求項６】
請求項１乃至５のいずれかに記載の回線端末装置において、
前記電話機と直列に接続され、前記電話機と前記信号送出手段との接続を遮断する遮断手段と、
前記電話機と並列に接続され、所定のインピーダンスを有するインピーダンス素子と、
前記信号送出手段により前記呼出信号を送出したときに流れる電流を検知する信号電流検知手段と、
を備え、
前記遮断手段は、前記信号電流検知手段が前記所定のインピーダンスに対応する電流を検知した場合には前記電話機と前記信号送出手段との接続を遮断し、前記信号電流検知手段が前記所定のインピーダンスよりも低いインピーダンスに対応する電流を検知した場合には前記電話機と前記信号送出手段との接続を遮断しないことを特徴とする回線端末装置。
【発明の詳細な説明】
【技術分野】
【０００１】
本発明は、回線端末装置に関するものである。詳しくは、電話回線等の通信回線を、回線端末装置に接続された電話機か回線端末装置本体に切り替える機能（Ｆａｘ／Ｔｅｌ自動切り替え機能）を有する回線切替制御装置及びファクシミリ装置等の回線端末装置に関するものである。
【背景技術】
【０００２】
昨今のファクシミリ装置は、特許文献１のように、１本の電話回線に対して、ファクシミリ装置（以下単に、ファクシミリ（又はＦａｘ）とする）と電話機（以下単に、電話機（又はＴｅｌ）とする）とを切り替えて接続している。そのため、その切り替えを自動で行う機能が必要であった。その機能（以下、Ｆａｘ／Ｔｅｌ（又はＦ／Ｔ）自動切り替え機能とする）とは、次のようなものである。ファクシミリが加入者交換機からの呼出信号（ベル鳴動信号）を検出すると、相手側（発呼側）がファクシミリであると予想する。そして、回線をファクシミリ側へ切り替え、ファクシミリからの着信であれば当然に受信するはずである特定信号（ＣＮＧ（ＣＡＬＬＩＮＧ）信号；発呼トーン）を一定期間検出する動作を行う。その時に、ＣＮＧ信号を検出すれば、ファクシミリ受信の動作をそのまま継続する。一方、ＣＮＧ信号を検出しない場合は、相手側が電話であると判断する。そして、回線を電話機側へ切り替え、接続された電話機を鳴動させて電話に出る人を呼び出すために、ファクシミリから呼出信号（ベル鳴動信号）を電話機に送出する。Ｆａｘ／Ｔｅｌ自動切り替え機能による、この呼出信号（ベル鳴動信号）を疑似ＣＩ信号（擬似コーリングインジケータ信号）と呼んでいる。
【０００３】
さらに、特許文献２のように、加入者交換機からの呼出信号（ベル鳴動信号）を検出する場合に、次のような構成を備える回線切替制御装置が提案されている。この回線切替制御装置は、まず、電話回線の直流電圧の極性反転を検知する極性反転検知手段を備える。さらに、ファクシミリ装置本体が受信準備の整ったレディ状態にない場合に、極性反転検知手段が極性反転を検知したとき、接続された電話機を電話回線から切断する切断手段と、を備える。さらに、ファクシミリ装置本体にレディ状態への復帰を要求する復帰要求手段と、を備える構成である。
【０００４】
ここで、図４に従来例の回線切り替え制御機能を有する回線端末装置の全体構成を示す。１１０１は、回線切替制御装置における回線制御ユニット（ＮＣＵ：Ｎｅｔｗｏｒｋ  Ｃｏｎｔｒｏｌ  Ｕｎｉｔ）（切り替え制御手段）で、電話回線１１１２の切り替え制御や接続される後述する電話機１１０３を制御する。なお、制御部１１０５が電話回線１１１２の着信を検知する。１１０２は通信コントローラ部で、ＮＣＵ  １１０１を制御し、電話回線１１１２と接続したときに発呼局と通信動作を行う。１１０３は電話機で、制御部１１０９により制御されるが、ケーブル及びコネクタを介してＮＣＵ  １１０１と物理的に着脱可能な構成であり、ＮＣＵ  １１０１からも制御され、ＮＣＵ１１０１よりベル鳴動信号が入力されると鳴動する。１１０４は電話機１１０３に直流電圧を印加し、さらにその直流の極性を反転させる機能を持ち、同時に交流信号であるベル鳴動信号（呼出信号）を送出し、電話機１１０３を制御する擬似ＣＩ回路である。また、擬似ＣＩ回路１１０４は、接続された電話回線１１１２がＮＣＵ  １１０１に切り替えられたときに、電話機１１０３に対して、装置電源（擬似ＣＩを含む）か電話回線をその接続を切り替えて出力する。
【０００５】
１１０６は電話回線１１１２と接続したときに発呼局と通信動作をするための通信信号の圧縮・伸長をするためのモデムで、他にダイヤル信号であるＤＴＭＦ信号やトーナル信号の送出や検出も行う。１１１０は、制御部１１０７から制御され、通信コントローラ部１１０２が有する不図示の音源を鳴動させるスピーカーである。１１０８はＮＣＵ  １１０１からのベル鳴動信号を受けてベルを鳴動させる鳴動回路である。１１１１は、接続された電話回線１１１２を通信コントローラ部１１０２とＮＣＵ  １１０１で切り替えて接続する回線切り替え手段としてのリレー（ＲＬと図示）であり、通常はＮＣＵ  １１０１側に接続されている。また、リレー１１１１は、ＮＣＵ  １１０１側に切り替わったときのみ電話機１１０３に電話回線１１１２が接続される場合があり、具体的には擬似ＣＩ回路１１０４で制御される。１１２３は、電話機１１０３がベル鳴動信号を受信中に、図中白抜き矢印で示されるループ（擬似ＣＩ回路１１０４と鳴動回路１１０８とからなるループ）に流れる電流を検知する電流検出部である。
【特許文献１】特開平０６−３５０７７７号公報
【特許文献２】特開２００５−８６７５５号公報
【発明の開示】
【発明が解決しようとする課題】
【０００６】
しかしながら、上記従来例では、ファクシミリ機能を備えた回線端末装置において、電話機を接続して使用するように設置した場合に、電話機を接続し忘れると問題がある。
【０００７】
例えば、発呼側が電話目的で、Ｆａｘ／Ｔｅｌ自動切り替え機能を使って、着呼側の電話が呼び出された回線端末装置が擬似ＣＩ信号（ベル鳴動信号）を送出して電話機を鳴動しようとしたときに生じる。このような場合には、電話機が鳴動しないため、着呼側のユーザは着呼に気が付かず電話に出ることができない。また、ユーザは電話機を接続し忘れたことにいつまでたっても気づかない。
【０００８】
本発明は、このような点に着目して成されたもので、回線端末装置本体に電話機が接続されていないことを検出でき、電話機が接続されていない場合には警告音を鳴動させることができる回線端末装置を提供することを課題とする。
【課題を解決するための手段】
【０００９】
前記課題を解決するために、本発明は以下の構成を備える。
【００１０】
（１）通信回線の接続を、回線端末装置本体と、前記回線端末装置本体に接続された電話機と、に切り替える切り替え制御手段を備える回線端末装置において、前記切り替え制御手段が前記通信回線の接続を前記電話機に切り替えた場合に、前記電話機を鳴動させるための呼出信号を送出する信号送出手段と、前記呼出信号の電圧に比べて低い電圧を前記電話機に印加する電圧印加手段と、前記電圧印加手段により前記電話機に前記低い電圧を印加したときの電気的状態変化を検出する検出手段と、を備え、前記信号送出手段は、前記検出手段により前記電気的状態変化を検出した場合には前記呼出信号を送出し、前記検出手段により前記電気的状態変化を検出しない場合には前記呼出信号を送出しないことを特徴とする回線端末装置。
【発明の効果】
【００１１】
本発明によれば、回線端末装置本体に電話機が接続されていないことを検出でき、電話機を接続し忘れても、鳴動手段を使って、電話機が接続されていない旨の警告音を鳴動させることができ、ユーザに注意を喚起することができる。
【発明を実施するための最良の形態】
【００１２】
以下本発明を実施するための最良の形態を、実施例により詳しく説明する。
【実施例】
【００１３】
＜回線端末装置の全体構成＞
図１は本発明の特徴を最もよく表す回線切り替え制御機能を有する回線端末装置としての構成を示す全体構成図である。同図において、１０１は、回線端末装置における回線制御ユニット（ＮＣＵ：Ｎｅｔｗｏｒｋ  Ｃｏｎｔｒｏｌ  Ｕｎｉｔ）であり、通信回線である電話回線１１２の切り替え制御や接続される後述する電話機１０３を制御する（以下、ＮＣＵ  １０１とする）。１０２は、通信コントローラ部で、ＮＣＵ  １０１を制御する。他に電話回線１１２と接続したときに発呼局と通信動作を行う。１０３は、電話機で、ＮＣＵ  １０１と接続して制御される。また、電話機１０３は、ケーブル及びコネクタを介してＮＣＵ  １０１と物理的に着脱可能である。電話機１０３は、ベル鳴動信号を入力されると鳴動する。なお、電話機１０３のベル鳴動信号受信中のインピーダンスをＺとする。
【００１４】
１０４は、ＮＣＵ  １０１において、電話機１０３に直流電圧を印加し、さらにその直流の極性を反転させる機能を持つ擬似ＣＩ回路（直流電圧印加手段、極性反転手段）である。擬似ＣＩ回路１０４は、同時に交流信号であるベル鳴動信号、すなわち擬似ＣＩ信号（呼出信号）を送出し（信号送出手段）、電話機１０３を制御する。擬似ＣＩ回路１０４は、他に、接続された電話回線１１２がＮＣＵ  １０１に切り替えられたときに、電話機１０３に対して、装置電源（擬似ＣＩ信号を含む）か電話回線をその接続を切り替えて出力する。
【００１５】
１０５は、ＮＣＵ  １０１において、ＮＣＵ  １０１全体を制御する制御部で、電話回線１１２からの着信を検知する。また、制御部１０５は、通信コントローラ部１０２や電話機１０３と接続し制御のやりとりをする。
【００１６】
１０６は、通信コントローラ部１０２において、電話回線１１２と接続したときに発呼局と通信動作をするための通信信号の圧縮・伸長をするためのモデムである。モデム１０６は、他にダイヤル信号であるＤＴＭＦ信号やトーナル信号の送出や、電気的状態変化となるリターンバックの検出、すなわちトーナル信号に対応した信号の検出も行う（電圧印加手段、検出手段）。
【００１７】
１０７は、通信コントローラ部１０２において、通信コントローラ部１０２全体を制御する制御部であり、他に、ＮＣＵ  １０１の制御部１０５と接続し、制御のやりとりをする。
【００１８】
１０８は、電話機１０３において、ＮＣＵ  １０１からのベル鳴動信号を受けてベルを鳴動させる鳴動回路である。１０９は、電話機１０３において、電話機１０３全体を制御する制御部で、他に、ＮＣＵ  １０１の制御部１０５と接続し、制御のやりとりをする。
【００１９】
１１０は、通信コントローラ部１０２において、制御部１０７から制御され、通信コントローラ部１０２が有する不図示の音源を鳴動させるスピーカー（鳴動手段）である。
【００２０】
１１２は、電話回線で、ＮＣＵ  １０１に接続される。１１１は、ＮＣＵ  １０１において、接続された電話回線１１２を、通信コントローラ部１０２とＮＣＵ  １０１で切り替えて接続する回線切り替え手段としてのリレー（ＲＬと図示）である。リレー１１１は、通常はＮＣＵ  １０１側に接続されている。また、リレー１１１は、ＮＣＵ  １０１側に切り替わったときのみ、電話機１０３に電話回線１１２が接続される場合がある。具体的には、擬似ＣＩ回路１０４で制御される。
【００２１】
１２１は、ＮＣＵ  １０１において、電話機１０３に直接に挿入（直列に接続）され、擬似ＣＩ回路１０４から電話機１０３に送出するベル鳴動信号を遮断する遮断手段であるリレー（ＲＬと図示）である。１２２は、電話機１０３に並列に（並列に接続）挿入され、電話機１０３のベル鳴動信号受信中の交流インピーダンスと等価な擬似負荷（インピーダンス素子）である（すなわち、擬似負荷のインピーダンスはＺ（所定のインピーダンス）である）。１２３は、電話機１０３がベル鳴動信号を受信中に図中白抜き矢印で示されるループ（擬似ＣＩ回路１１０４と鳴動回路１１０８とからなるループ）に流れる電流を検知する電流検出部（信号電流検知手段）である。
【００２２】
＜本実施例と従来例との対比＞
先に説明した図４は、従来の構成の特徴を最もよく表す回線端末装置としての構成を示す全体構成図である。図１と図４とを比較すると、本実施例は、まず、電話機１０３に送出するベル鳴動信号を遮断する手段であるリレー１２１を備える構成である。そして、電話機１０３に並列に挿入され、電話機１０３のベル鳴動信号受信中の交流インピーダンスと等価な擬似負荷１２２を備える構成である。
【００２３】
＜実施例１  電話機接続判定動作について（その１）＞
次に、図１に示す構成において、基本の動作としての電話機接続判定動作（その１）を図２に示すフローチャートにより順に説明する。
【００２４】
電話機接続判定動作の処理がスタートすると、ステップ３０１（以下、Ｓ３０１のように記す）において、電話回線１１２から着信があるまで待機し、着信があり、Ｆａｘ／Ｔｅｌ自動切り替え（「Ｆ／Ｔ切替」と図示）があった場合は、Ｓ３０２の処理に進む。ここで、具体的に着信とは、コーリングインジケータ信号（以下、ＣＩ信号とする）を受信したことをいい、ＣＩ信号は、通常、１６Ｈｚの呼出信号である。また、本実施例における回線端末装置は、Ｆａｘ／Ｔｅｌ自動切り替え機能を有しており、着信後のＦａｘ／Ｔｅｌ自動切り替え機能による切り替え時に、相手側（発呼側）が電話であると判断した場合に、Ｓ３０２以降の処理を行う。
【００２５】
Ｓ３０２では、通信コントローラ部１０２のモデム１０６から、複数の周波数からなる特定のトーナル信号をＮＣＵ  １０１を介して、電話機１０３に送出する。またこの時、送出する信号は、例えば２つの周波数からなるＤＴＭＦ信号でも良い。この時、モデム１０６は、トーナル信号（又はＤＴＭＦ信号）を送出しながら、同時に、電話機１０３を介してループバックして戻って来るその特定信号の周波数を検出する。
【００２６】
そこでＳ３０３では、モデム１０６が、電話機１０３を介してループバックして戻って来るその特定信号の周波数を検出したか否かを判断する。ここで、モデム１０６が送出した信号がＤＴＭＦ信号である場合は、同様にモデム１０６にてそのＤＴＭＦ信号のダイヤル番号を特定する。
【００２７】
Ｓ３０３で、モデム１０６がＳ３０２で送出した特定のトーナル信号の周波数もＤＴＭＦ信号のダイヤル番号も特定できない場合は、Ｓ３０４の処理に進む。この場合、電話機１０３が接続されていないと判断して、擬似ＣＩ信号を送出しない。Ｓ３０４では、通信コントローラ部１０２のスピーカー１１０から、電話機のベル音相当の効果音を鳴動させるか、又は、電話機１０３が接続されていないことをユーザに知らせる警告音を鳴動させ、処理を終了する。
【００２８】
Ｓ３０３においてモデム１０６により信号が検出された場合は、電話機１０３が接続されていると判断し、Ｓ３０５でＮＣＵ  １０１の擬似ＣＩ回路１０４から、擬似ＣＩ信号を電話機１０３に対して送出する。
【００２９】
Ｓ３０６では、ＮＣＵ  １０１の電流検出部１２３にて、流れる電流から、その時の負荷、すなわち擬似ＣＩ回路１０４から擬似ＣＩ信号を送出中の交流インピーダンスＺを特定する。ここで、電話機１０３が接続されているときは、擬似負荷１２２と電話機１０３は並列に接続されており、このときの合成のインピーダンス＝Ｚ／２に流れる電流Ｉは、擬似負荷（又は鳴動回路１０８）にかかる電圧をＶとすると、Ｉ＝２Ｖ／Ｚとなる。一方、電話機１０３が接続されていないときは、擬似負荷１２２（インピーダンスＺ）のみになるので、この場合に流れる電流Ｉは、Ｉ＝Ｖ／Ｚとなる。このため、電話機１０３が接続されていないときには、電話機１０３が接続されているときの約半分の電流しか流れない。
【００３０】
以上のことから、Ｓ３０６において、電流検出部１２３によって検出された電流が想定（電話機が接続されている場合のＩ＝２Ｖ／Ｚ）された値の約半分しかない場合は（インピーダンスはＺとなる）、電話機１０３が接続されていないと判断する。そして、Ｓ３０７でＮＣＵ  １０１のリレー１２１を切断（オフ）して、擬似ＣＩ回路１０４からの擬似ＣＩ信号の送出を強制的に切断する。その後、Ｓ３０４で、通信コントローラ部１０２のスピーカー１１０から、電話機のベル音相当の効果音を鳴動させるか、又は、電話機１０３が接続されていないことをユーザに知らせる警告音を鳴動させ、処理を終了する。一方、Ｓ３０６において、検出された電流が想定（電話機が接続）されたとおりである場合は（インピーダンスはＺ／２となる）、電話機１０３が接続されているので、Ｓ３０８ではＮＣＵ  １０１のリレー１２１はオンのまま継続させる。
【００３１】
したがって、Ｓ３０９においては、そのまま擬似ＣＩ信号が電話機１０３に送出される。以上で処理を終了する。
【００３２】
このように、擬似ＣＩ信号を送出する前に、電話機１０３が接続されているか否かを確認することができ、電話機１０３が接続されていない場合には回線端末装置のスピーカー１１０を鳴動させて、ユーザに電話機１０３が接続されていないことを報知できる。
【００３３】
＜実施例２  電話機接続判定動作について（その２）＞
次に、図１に示す構成において、別の実施例についての動作である電話機接続判定動作（その２）を図３に示すフローチャートにより順に説明する。
【００３４】
電話機接続判定動作の処理がスタートすると、Ｓ４０１で、電話回線１１２から着信（コーリングインジケータ：ＣＩ、通常は１６Ｈｚの呼出信号）があり、Ｆ／Ｔ自動切り替え機能が動作し、相手側（発呼側）が電話であると判断すると、Ｓ４０２の処理に進む。
【００３５】
Ｓ４０２では、ＮＣＵ  １０１の擬似ＣＩ回路１０４から、電話機１０３に印加している直流電流の極性を繰り返し反転、具体的には、ベル鳴動信号の周波数である１６Ｈｚの周波数で、反転させる。ここで、擬似ＣＩ回路１０４は、通常は直流電圧（２４ｖ〜４８ｖ）に交流成分（約７５Ｖｒｍｓ）を重畳しており、交流である擬似ＣＩ信号の送出前に、この直流電圧の極性を、１６Ｈｚの周波数で繰り返し反転させる。
【００３６】
Ｓ４０３において、ＮＣＵ  １０１は、直流（ＤＣ）の断続信号を繰り返しながら、電流検出部１２３（電流検知手段）にて、流れる電流から、その時の負荷を特定する。つまり、電流の変化が検出できる場合は、負荷が小さいので電話機１０３は接続されていると判断し、電流の変化が検出できない場合は負荷が大きいので電話機１０３は接続されていないと判断する。
【００３７】
Ｓ４０３で電流変化を検出できなかった場合は、Ｓ４０４で電話機１０３が接続されていないと判断され、擬似ＣＩ信号を送出しない。ここでは、通信コントローラ部１０２のスピーカー１１０から、電話機のベル音相当の効果音を鳴動させるか、又は、電話機１０３が接続されていないことをユーザに知らせる警告音を鳴動させる。
【００３８】
一方、Ｓ４０３において電流変化が検出された場合は、電話機１０３が接続されていると判断し、Ｓ４０５でＮＣＵ  １０１の擬似ＣＩ回路１０４から、擬似ＣＩ信号を送出する。
【００３９】
Ｓ４０６では、ＮＣＵ  １０１の電流検出部１２３にて、流れる電流から、その時の負荷（擬似ＣＩ信号送出中の交流インピーダンス）を特定する。この時に、電話機１０３が接続されると、擬似負荷１２２と電話機１０３が並列に接続された合成のインピーダンス＝Ｚ／２に流れる電流Ｉは、Ｉ＝２Ｖ／Ｚとなる。一方、電話機１０３が接続されないと、流れる電流は、インピーダンスが擬似負荷１２２のＺのみになるので、その時に流れる電流Ｉは、Ｉ＝Ｖ／Ｚとなり、電話機１０３が接続された場合の約半分の電流しか流れない。
【００４０】
そこでＳ４０６において、検出された電流が想定（電話機が接続）されたときの約半分しかない場合は（インピーダンスがＺの場合）、電話機１０３が接続されていないと判断する。そして、Ｓ４０７でＮＣＵ  １０１のリレー１２１を切断して（リレー・オフ）、擬似ＣＩ信号の送出を強制的に遮断する。その後Ｓ４０４では、通信コントローラ部１０２のスピーカー１１０から、電話機のベル音相当の効果音を鳴動させるか、又は、電話機１０３が接続されていないことをユーザに知らせる警告音を鳴動させる。
【００４１】
一方、Ｓ４０６において、検出された電流が想定（電話機が接続）されたとおりの場合（インピーダンスがＺ／２）は、電話機１０３が接続されているので、Ｓ４０８ではＮＣＵ  １０１のリレー１２１はそのままオンのまま継続させる。そして、Ｓ４０９では、Ｓ４０８においてリレー１２１のオンが継続されるので、そのまま擬似ＣＩ信号が電話機１０３に送出され、処理を終了する。
【００４２】
このように、擬似ＣＩ信号を送出する前に、電話機１０３が接続されているか否かを確認することができ、電話機１０３が接続されていない場合には回線端末装置のスピーカー１１０を鳴動させて、ユーザに電話機１０３が接続されていないことを報知できる。
【００４３】
以上、本実施の形態を整理して要約すれば以下のように集約できる。
まず、電話機が付属装置として接続される場合、Ｆａｘ／Ｔｅｌ自動切り替え機能を備えた回線端末装置において、回線端末装置から電話機に、ベル鳴動信号（擬似ＣＩ信号）を送出する必要があるときに、電話機が接続されていることを事前に確認する。そして、もし、電話機が未接続の場合は、電話機にベル鳴動信号（擬似ＣＩ信号）を送出せず、回線端末装置のスピーカーやブザー等の鳴動手段を使って、電話機が接続されていない旨の警告音を鳴動させる手段を備えていることを特徴とする。
具体的な手段は、着信後のＦａｘ／Ｔｅｌ自動切り替え時に、相手側（発呼側）が電話と判断された場合に、
第一の方法としては、
先の擬似ＣＩ信号を送出する前に、擬似ＣＩ信号よりも低い電圧を電話機のコネクタ部に印加し、そのループバックで電話機の接続を判断する。詳細には、
１．回線端末装置本体のモデムを使って、電話機（ハンドセット）に固有のトーナル信号を送出して、そのリターンバックを周波数検出する。固有の周波数を検知しないときは、電話機（ハンドセット）が未接続と判断し、擬似ＣＩ信号を送出せず、さらに、回線端末装置本体のスピーカーやブザーから電話機が接続されていない旨の警告音を鳴動させる。
２．電話機に直列にリレー（擬似ＣＩ信号を断）を挿入し、さらに、電話機接続をハード的に検出して、未接続の場合は、リレーを強制的に切断し擬似ＣＩ信号の送出をしないようにする。同様に、回線端末装置本体のスピーカーやブザーから電話機が接続されていない旨の警告音を鳴動させる。
第二の方法としては、
１．ベル鳴動信号（擬似ＣＩ信号）送出回路は、通常は直流電圧（２４ｖ〜４８ｖ）に交流成分（約７５Ｖｒｍｓ）を重畳しているが、交流である擬似ＣＩ信号送出前に、この直流電圧の極性を、ベル鳴動信号相当の周波数で繰り返し反転させる。そして、その時に電話機に流れる電流値から電話機の接続を判定する。そして、電話機が接続されている場合は、続けて、電話機に擬似ＣＩ信号を送出する。電話機が接続されていない場合には、先と同様に擬似ＣＩ信号を送出せずに回線端末装置本体のスピーカーやブザーから電話機が接続されていない旨の警告音を鳴動させる。
【産業上の利用可能性】
【００４４】
本発明は、電話回線を、回線端末装置に接続された電話機か回線端末装置本体に切り替える機能（Ｆａｘ／Ｔｅｌ自動切り替え機能）を有する回線切り替え制御装置及びファクシミリ装置に利用可能である。
【図面の簡単な説明】
【００４５】
【図１】実施例に係る回線端末装置を表す全体構成図
【図２】実施例に係る回線端末装置の動作例（その１）を示したフローチャート
【図３】実施例に係る回線端末装置の動作例（その２）を示したフローチャート
【図４】従来例に係る回線端末装置を表す全体構成図
【符号の説明】
【００４６】
１０１  ＮＣＵ（回線切り替え制御手段）
１０２  通信コントローラ部
１０３  電話機
１０４  擬似ＣＩ回路（信号送出手段、直流電圧印加手段、極性反転手段）
１０６  モデム（電圧印加手段、検出手段）
１１０  スピーカー（鳴動手段）
１２１  リレー（遮断手段）
１２２  擬似負荷（インピーダンス素子）
１２３  電流検出部（電流検知手段、信号電流検知手段）
【図１】
2010068307.tif 000003
【図２】
2010068307.tif 000004
【図３】
2010068307.tif 000005
【図４】
2010068307.tif 000006